(57)【要約】【課題】カード保持機構に挿入したカードの破損を防ぎ、また、カード保持機構の電力消費量を低減させること。【解決手段】カード挿入口１２から挿入されたカード８０の意図しない排出を防止するカード保持機構であり、カード挿入口１２から挿入されるカード８０の前端縁が当接する当接片３１Ａを有する第１の回動レバー３１と、一端部に閉塞部が形成され、閉塞部がカード挿入口１２を閉塞する位置と開放する位置との間にわたって移動する第２の回動レバー３３とを有し、カード８０の挿入時に第１の回動レバー３１のみを回動させ、カード８０の挿入が完了した後に、ストッパ装置に瞬時通電して第２の回動レバー３３を回動させて閉塞部によりカード挿入口１２を閉塞させ、カード８０の排出時に第１，２の回動レバー３１，３３を同時に当初位置まで復帰させることを特徴とする。【選択図】図１
2011095924.tif 000002
【特許請求の範囲】
【請求項１】
カード挿入口から挿入されたカードが不意に排出されることを防止するために、前記カード挿入口の一部を閉塞する閉塞部を具備するカード保持機構であって、
前記カードが挿入されるベース部と、
前記ベース部に回動自在に設けられると共に、前記カード挿入口から挿入される前記カードの前端縁が当接する当接片を有する第１の回動レバーと、
一端部に前記閉塞部が形成され、該閉塞部が前記カード挿入口を閉塞する位置と開放する位置との間にわたって移動するように前記ベース部に回動自在に設けられ、前記第１の回動レバーが前記カード挿入口方向に所要位置まで回動した際に、係止部により前記第１の回動レバーが係止する第２の回動レバーと、
前記係止部を介して前記第１の回動レバーを前記第２の回動レバーに係止する方向に付勢し、前記第１の回動レバーが係止した前記第２の回動レバーを、前記カード挿入口を開放する方向に回動させる第１の付勢部材と、
前記カード挿入口を閉塞する方向に前記第２の回動レバーを付勢する第２の付勢部材と、
前記第２の回動レバーの回動を、前記閉塞部が前記カード挿入口を開放する位置と、前記閉塞部が前記カード挿入口を閉塞する位置との両位置で規制するストッパ装置と、
該ストッパ装置による前記第２の回動レバーの回動の規制を解除する解除手段と、を具備し、
前記カードが前記カード挿入口から挿入され、前記当接片に当接して前記第１の付勢部材の付勢力に抗しつつ前記第１の回動レバーを回動させた際、前記第２の回動レバーは、前記ストッパ装置により前記閉塞部が前記カード挿入口を開放する位置にとどまり、
前記カードが前記ベース部内の所定位置まで挿入された際、前記解除手段により前記ストッパ装置による前記第２の回動レバーの回動の規制が解除され、前記第２の回動レバーが前記第２の付勢部材により前記閉塞部が前記カード挿入口を閉塞する位置まで回動されると共に、この位置で前記第２の回動レバーの回動が前記ストッパ装置により規制され、
前記カードを取り出す際には、前記解除手段により前記ストッパ装置による前記第２の回動レバーの回動の規制が解除され、前記第１の付勢部材による付勢力により、前記第２の回動レバーが前記第１の回動レバーと共に前記閉塞部が前記カード挿入口を開放する位置まで回動復帰すると共に、前記当接片により前記カードを前記カード挿入口まで押し出すことを特徴とするカード保持機構。
【請求項２】
前記カードが前記ベース部内の所定位置まで挿入されたことを検出する第１のセンサと、
常時は弾性部材によって突出する方向に付勢され、電磁コイルに通電されることによって後退するプランジャ、および該プランジャに取り付けられて該プランジャと共に進退するストッパ片とを具備し、該ストッパ片は、前記プランジャの突出位置にて、前記第２の回動レバーの回動を、前記閉塞部が前記カード挿入口を開放する位置と、前記閉塞部が前記カード挿入口を閉塞する位置との両位置において規制する電磁ソレノイドからなる前記ストッパ装置と、
前記第１のセンサからのカード挿入検出信号が入力され、前記電磁ソレノイドへの通電を瞬間的にオンにする制御部からなる前記解除手段と、を具備することを特徴とする請求項１記載のカード保持機構。
【請求項３】
前記第１の回動レバーおよび前記第２の回動レバーは、回動軸を共有し、
前記第２の付勢部材は、一端縁が前記第１の回動レバーに、他端縁が前記第２の回動レバーに係合されていることを特徴とする請求項１または２記載のカード保持機構。
【請求項４】
前記カードを前記カード挿入口から挿入させた際に、前記カードに設けられている情報記憶部に記憶されている情報を読み取ると共に、読み取り情報を前記制御部に送信する情報読み取り手段とを具備し、
前記制御部は、前記情報読み取り手段から送信された読み取り情報が予め指定されているエラー情報であった場合には、前記第１のセンサからのカード挿入検出信号が入力されたとしても、前記電磁ソレノイドへの通電を行わない処理を実行することを特徴とする請求項２または３記載のカード保持機構。
【請求項５】
前記第２の回動レバーが閉塞位置に位置することを検知し、第２回動レバー閉塞位置検知信号を前記制御部に送信する第２のセンサをさらに備え、
前記制御部は、前記第２のセンサからの第２回動レバー閉塞位置検知信号を受けて、前記電磁ソレノイドへの通電をオフにする処理を実行することを特徴とする請求項２〜４のうちのいずれか一項に記載のカード保持機構。
【請求項６】
前記カード挿入口が前記閉塞部により閉塞状態となった際に、前記当接片と前記閉塞部との最短離間距離が前記カードの挿入方向におけるカード長さ寸法よりも長く形成されていることを特徴とする請求項１〜５のうちのいずれか一項に記載のカード保持機構。
【発明の詳細な説明】
【技術分野】
【０００１】
本発明はカード保持機構に関する。
【背景技術】
【０００２】
データを記憶させた磁気テープやＩＣチップ等のデータ記憶担体が搭載されたカード体を挿入し、データ記憶担体のデータの読み書きを行うデータ読み書き装置内に搭載され、データへのアクセス中に不用意にカードが排出されることを防止するカード保持機構としては、図７に示すようなカード保持機構が特許文献１において開示されている。
【先行技術文献】
【特許文献】
【０００３】
【特許文献１】特開平８−１６１４１７号公報
【発明の概要】
【発明が解決しようとする課題】
【０００４】
図７に示す特許文献１記載のカード保持機構６００は、駆動アーム６０１と保持アーム６０２とストッパ６０３を回動レバーとし、カード８０を保持する際には、固定装置６０４にて保持アーム６０２を介してストッパ６０３を図７中の左回りに回動させてカード８０を保持するものである。
【０００５】
特許文献１に開示されているカード保持機構６００は、カード８０を保持する際に、カード８０が駆動アーム６０１とストッパ６０３とにより挟まれた状態で、スプリング６０５の力を受けてカード８０に面内圧縮応力が作用した状態になり、カード８０が破損するおそれがある。また、カード８０の保持時には固定装置６０４であるソレノイドが常時通電された状態になり、動作不要時においても消費電力を浪費してしまうといった課題がある。
【０００６】
そこで本願発明は、カード保持機構に挿入したカードの破損を防ぎ、また、カード保持機構の電力消費量を低減させることを目的としている。
【課題を解決するための手段】
【０００７】
以上の目的を達成するため本願発明は以下の構成を有する。
すなわち、カード挿入口から挿入されたカードが不意に排出されることを防止するために、前記カード挿入口の一部を閉塞する閉塞部を具備するカード保持機構であって、前記カードが挿入されるベース部と、前記ベース部に回動自在に設けられると共に、前記カード挿入口から挿入される前記カードの前端縁が当接する当接片を有する第１の回動レバーと、一端部に前記閉塞部が形成され、該閉塞部が前記カード挿入口を閉塞する位置と開放する位置との間にわたって移動するように前記ベース部に回動自在に設けられ、前記第１の回動レバーが前記カード挿入口方向に所要位置まで回動した際に、係止部により前記第１の回動レバーが係止する第２の回動レバーと、前記係止部を介して前記第１の回動レバーを前記第２の回動レバーに係止する方向に付勢し、前記第１の回動レバーが係止した前記第２の回動レバーを、前記カード挿入口を開放する方向に回動させる第１の付勢部材と、前記カード挿入口を閉塞する方向に前記第２の回動レバーを付勢する第２の付勢部材と、前記第２の回動レバーの回動を、前記閉塞部が前記カード挿入口を開放する位置と、前記閉塞部が前記カード挿入口を閉塞する位置との両位置で規制するストッパ装置と、該ストッパ装置による前記第２の回動レバーの回動の規制を解除する解除手段と、を具備し、前記カードが前記カード挿入口から挿入され、前記当接片に当接して前記第１の付勢部材の付勢力に抗しつつ前記第１の回動レバーを回動させた際、前記第２の回動レバーは、前記ストッパ装置により前記閉塞部が前記カード挿入口を開放する位置にとどまり、前記カードが前記ベース部内の所定位置まで挿入された際、前記解除手段により前記ストッパ装置による前記第２の回動レバーの回動の規制が解除され、前記第２の回動レバーが前記第２の付勢部材により前記閉塞部が前記カード挿入口を閉塞する位置まで回動されると共に、この位置で前記第２の回動レバーの回動が前記ストッパ装置により規制され、前記カードを取り出す際には、前記解除手段により前記ストッパ装置による前記第２の回動レバーの回動の規制が解除され、前記第１の付勢部材による付勢力により、前記第２の回動レバーが前記第１の回動レバーと共に前記閉塞部が前記カード挿入口を開放する位置まで回動復帰すると共に、前記当接片により前記カードを前記カード挿入口まで押し出すことを特徴とするカード保持機構である。
【発明の効果】
【０００８】
本発明にかかるカード保持機構によれば、カード保持具に挿入させたカードの破損を防ぎ、カード保持機構としての電力消費量を大幅に低減させることが可能になる。
【図面の簡単な説明】
【０００９】
【図１】本実施形態におけるカード保持機構の当初状態を示した一部透視平面図である。
【図２】図１に示すカード保持機構にカードを挿入している状態を示す一部透視平面図である。
【図３】図２に示す状態の後、カード全体が挿入されてストッパを駆動させた状態を示す一部透視平面図である。
【図４】カード保持状態を示す一部透視平面図である。
【図５】図４に示す状態の後、カード排出信号が発信された際に、ストッパを解除させた状態を示す一部透視平面図である。
【図６】カードがカード挿入口から排出されている状態を示す一部透視平面図である。
【図７】従来技術におけるカード保持機構の概略構成を示す図である。
【発明を実施するための形態】
【００１０】
以下、本発明にかかるカード保持機構の実施形態について図面に基づいて説明する。
図１に示されている符号１０はベース部である。図１は、ベース部１０の表側面をあらわしている。ベース部１０の側面にはカード挿入口１２が形成されている。カード挿入口１２から挿入されたカード８０は、ベース部１０の裏面側の収納部（図示せず）まで挿入される。ベース部１０の裏面側にはストッパ装置である電磁ソレノイド５０が配設されている。
【００１１】
ベース部１０には板厚方向に貫通する貫通孔１４が形成されている。この貫通孔１４は、図１に示すように円弧状の長孔に形成されている。
ベース部１０の表側面には、第１の回動レバー３１と第２の回動レバー３３とが、一端側が重ねられた配置で回動自在に取り付けられている。第１の回動レバー３１と第２の回動レバー３３とは回動軸ＡＸを共有している。
また、第１の回動レバー３１および第２の回動レバー３３には、第１の付勢部材である第１ばね４１および第２の付勢部材である第２ばね４３が取り付けられている。
【００１２】
第１の回動レバー３１には、貫通孔１４に挿通されてベース部１０の裏面側に突出し、カード挿入口１２から挿入されたカード８０の前端縁が当接する当接片３１Ａが設けられている。当接片３１Ａは、カード挿入口１２から収納部へのカード８０挿入動作により、第１の回動レバー３１を第１ばね４１の付勢力に抗して回動させる。また、当接片３１Ａは、第１ばね４１の付勢力により第１の回動レバー３１をカード挿入口１２側に回動復帰させる際に、ベース部１０の収納部に収納されたカード８０をカード挿入口１２に排出する機能を有している。
【００１３】
第２の回動レバー３３の端部には、カード挿入口１２を横断するように裏面方向に曲折し、さらに、カード８０の挿入方向に延伸するよう曲折されて成る閉塞部である曲折端縁３３Ａが形成されている。また、第２の回動レバー３３には、曲折端縁３３Ａの他に、第２ばね４３の一端縁を係止するための曲折片３３Ｂと、第２の回動レバー３３がカード挿入口１２を閉塞する位置において、第２の回動レバー３３がカード挿入口１２を開放させる方向に回動する動作を規制するため、後述するストッパ片５６に先端部が当接する突出部３３Ｃが形成されている。この突出部３３Ｃの基部付近には、カード挿入口１２を開放する位置において、第２の回動レバー３３がカード挿入口１２を閉塞する方向に回動する動作を規制するための、ストッパ片５６が係合するストッパ係合部３３Ｄが形成されている。ストッパ係合部３３Ｄはプランジャ用ばね５４による付勢力により付勢され、プランジャ５２と共に進退動するストッパ片５６が進入可能な凹部に形成されている。
また、第２の回動レバー３３には、後述するベース部１０に設けられた閉塞位置用ストッパ１８に当接する当接部３３Ｅが設けられている。当接部３３Ｅは、閉塞位置用ストッパ１８と点接触するように平面視形状が半円状に形成されている。なお、当接部３３Ｅの配設は省略することもできる。
【００１４】
第１の回動レバー３１に取り付けられた第１ばね４１は、ベース部１０の所定位置を曲折して形成した係止片１６と、第１の回動レバー３１の中途位置を曲折して形成した曲折片３１Ｂとに装着することができる。第２の回動レバー３３に取り付けられた第２ばね４３は、一端縁が曲折片３３Ｂに係止され、他端縁が第１の回動レバー３１に形成された第２曲折片３１Ｃに係止されている。
第１ばね４１は、収納部にカード８０を挿入（収納）した後、カード８０をカード挿入口１２に排出させる際の駆動力（付勢力）を得るためのものである。これに対して第２ばね４３は、先に回動させた第１の回動レバー３１に第２の回動レバー３３を接近させるための駆動力（付勢力）を得るためのものである。
【００１５】
また、第１ばね４１による付勢力により第１の回動レバー３１がカード８０を排出する方向（第１の回動レバー３１を当初位置に復元させるため）の回動を行う際に、第１の回動レバー３１および第２の回動レバー３３を供回りさせるための供回り用係合部が形成されている。具体的には、第１の回動レバー３１に供回り用係合片３１Ｄが形成され、第２の回動レバー３３には供回り用係合片３１Ｄが係合する供回り用係合溝３３Ｆがそれぞれ形成されている。供回り用係合溝３３Ｆは、第１の回動レバー３１の回動方向に延伸する円弧状の孔に形成されている。これにより、カード８０の挿入時には、第１の回動レバー３１と第２の回動レバー３３とをそれぞれ独立に回動させ、かつ、カード８０の排出時には、第１の回動レバー３１と第２の回動レバー３３とを一体に回動させ、当初位置に一体に復元させることができる。
【００１６】
ベース部１０には、第２ばね４３の付勢力によりカード挿入口１２を閉塞させる位置に向けて回動された第２の回動レバー３３の過回動を規制するための閉塞位置用ストッパ１８が設けられている。閉塞位置用ストッパ１８は、ベース部１０の所要位置をベース部１０の表側（第１および第２の回動レバー３１，３３の取り付け側）に向けて曲折することにより形成することができる。第２の回動レバー３３に形成された当接部３３Ｅは、閉塞位置用ストッパ１８と当接することにより、第２ばね４３から付与された付勢力による第２回動レバー３３の過回動を防止する。
【００１７】
また、本実施形態におけるカード保持機構１００には、第１の回動レバー３１が所定位置まで回動したことを検出する第１のセンサ６２と第２の回動レバー３３の回動状態を検知することにより、曲折端縁３３Ａが閉塞位置に位置しているか否かを検出する第２のセンサ６４とが配設されている。 第１のセンサ６２および第２のセンサ６４は、それぞれが検出した検出信号を図示しない制御部に送信する。制御部は、それぞれのセンサ６２，６４から送信された検出信号を受信した際に、検出信号に基づいて電磁ソレノイド５０への電力供給のオンオフ切り替え動作や、カード保持機構１００の動作制御について規定した制御プログラムが記憶された記憶部と、制御プログラムに基づいて具体的な動作処理を行う処理実行部とにより構成されている。
このような制御部としては、例えばカード保持機構１００に内蔵されたマイクロコンピュータや、カード保持機構１００とは別体に設けられ、通信手段により接続されている遊技機ホストコンピュータ、さらには、一般的なパーソナルコンピュータ等により実現することができる。
【００１８】
電磁ソレノイド５０は、電力を供給することにより伸縮するプランジャ５２を有し、プランジャ５２には、プランジャ５２を常時突出させる方向に付勢力を付与するプランジャ用ばね５４と、プランジャ５２に伴って進退するストッパ片５６とを備えている。本実施形態では、電力が供給されている間（電力供給がオンになっている間）において、プランジャ５２が縮小する構成の電磁ソレノイド５０を用いており、ストッパ装置である電磁ソレノイド５０への電力供給状態を制御部が適宜切り換え操作をすることにより、プランジャ５２の伸縮とともにストッパ片５６を進退させて第２の回動レバー３３の回動規制手段と回動規制解除手段の機能を持たせている。
【００１９】
以下に、図１〜図６に沿って本実施形態におけるカード保持機構１００の動作説明を行う。
まず、図１に示すように、第１回動レバー３１の当接片３１Ａが貫通孔１４のカード挿入口１２側の端部位置に位置し、第２の回動レバー３３の閉塞部である曲折端縁３３Ａがカード挿入口１２を開放する位置に位置する当初状態となるようにユーザがカード保持機構１００をリセットした状態にする。
【００２０】
次いで、図２に示すように、ユーザがカード挿入口１２から矢印ａ方向にカード８０を挿入する。カード保持機構１００内にカード８０が挿入されると、カード挿入経路内（収納部）をカード８０の厚さ方向に横切っている当接片３１Ａにカード８０の前端縁が当接し、カード８０の挿入に伴って第１の回動レバー３１が、第１ばね４１による付勢力に抗して図２内の矢印Ａ方向に回動する。このとき、第２の回動レバー３３もまた、第２ばね４３の付勢力により第１の回動レバー３１の回動方向と同方向の回動（曲折端縁３３Ａによりカード挿入口１２を閉塞させる方向）が惹起されることになる。しかしながら、ストッパ片５６がストッパ係合部３３Ｄである凹状部分に嵌合しているため、第２の回動レバー３３は、第２ばね４３の付勢力に抗して回動動作が規制される。つまり、カード８０の挿入に伴って第１の回動レバー３１のみが先行して回動することになる。このようにユーザがカード挿入口１２からカード８０を挿入する際に、第２の回動レバー３３の回動を停止させているので、ユーザはカード８０の挿入動作を容易に行うことができる。
【００２１】
第１の回動レバー３１が所定位置まで回動すると、第１のセンサ６２が第１の回動レバー３１を検出し、ストッパ解除手段としても機能する制御部へ検出信号を送信する。制御部が第１のセンサ６２からの検出信号を受信すると、制御プログラムに基づいて制御部が電磁ソレノイド５０への電力供給をオンにする。
これにより電磁ソレノイド５０は、図３に示すようにプランジャ用ばね５４の付勢力に抗してプランジャ５２を縮小させ、ストッパ片５６を図中矢印ｂ方向にスライドさせてストッパ片５６とストッパ係合部３３Ｄとの係合状態を解除する。
【００２２】
すると第２の回動レバー３３は、第２ばね４３による付勢力により第１の回動レバー３１の回動方向と同方向（図３中の矢印Ｂ方向、すなわち時計まわり）に回動して、カード挿入口１２を開放する位置で待機していた曲折端縁３３Ａをカード挿入口１２を閉塞する位置に移動させる。第２の回動レバー３３は、第２ばね４３の付勢力により所要の回動速度でカード挿入口１２を閉塞する方向に回動することになるが、閉塞位置用ストッパ１８に当接部３３Ｅが当接することで、第２の回動レバー３３の過回動が防止され、曲折端縁３３Ａが適切な位置でカード挿入口１２を閉塞させることができる。
このとき、第２のセンサ６４が第２の回動レバー３３の曲折端縁３３Ａが閉塞部の位置に到達したことを検出すると、検出信号を制御部に送信する。制御部は第２のセンサ６４からの検出信号を受信すると、電磁ソレノイド５０への電力供給をオフにする。
【００２３】
このように本実施形態における制御部は、瞬間的（１秒未満の短時間）に電磁ソレノイド５０に対して電力供給をオンにしているため、電磁ソレノイド５０に供給される電力消費量はきわめて少量である。
電磁ソレノイド５０に電力が供給されるとプランジャ５２は一旦縮小するが、電磁ソレノイド５０への電力供給は短時間のうちにストップされるから、図４に示すように、縮小状態のプランジャ５２は、プランジャ用ばね５４の付勢力によって即座に伸長状態に戻ることになる。すなわちストッパ片５６は、カード挿入口１２を閉塞する位置まで回動した状態の第２の回動レバー３３の突出部３３Ｃの先端部側（下端部側）に回り込んだ状態になる。
【００２４】
この時点では、ユーザによりカード８０を収容部に押し込ませる力が付与されているため、第２の回動レバー３３の当接部３３Ｅは、閉塞位置用ストッパ１８に当接する位置にあり、突出部３３Ｃの先端部（下端部）とストッパ片５６との間には隙間が存在している。ユーザがカード８０を収容部に押し込む力を解除すると、第１の回動レバー３１が第１ばね４１の付勢力によりカード挿入口１２側に戻る向きに回動する。すると、第１の回動レバー３１の供回り用係合片３１Ｄが第２の回動レバー３３の供回り用係合溝３３Ｆの一方の端縁に当接し、第２の回動レバー３３を第１の回動レバー３１と供回りさせる。すなわち第２の回動レバー３３は、閉塞位置用ストッパ１８から離反する方向に回動し、突出部３３Ｃの先端部（下端部）がストッパ片５６に直接支持された状態になる。
これにより第１ばね４１によるカード８０の排出方向への付勢力に抗して、第１の回動レバー３１がカード挿入口１２に接近する方向への回動と第２の回動レバー３３のカード挿入口１２の閉塞状態を開放する方向への回動がそれぞれ規制され、カード８０がカード挿入口１２に排出されてしまうことはない。この状態においては、第２ばね４３による付勢力は作用していない状態であることが好ましい。
【００２５】
図４に示すように、曲折端縁３３Ａによるカード挿入口１２の閉塞がなされると、情報読み取り手段であるデータリーダ、情報書き込み手段であるデータライタにより、カード保持機構１００に挿入されたカード８０の情報記憶部であるデータ記録担体（いずれも不図示）へのデータアクセスが行われる。本実施形態におけるデータリーダ、データライタ、データ記録担体には、非接触によりデータ記録担体とデータリードおよびデータライトが可能である無線通信手段が用いられているが、この形態に限定されるものではない。データ記録担体にデータリーダ、データライタが接触してデータのリードライトを行う方式であってもよいのはもちろんである。データ記録担体のデータは、データリーダ、データライタ、制御部の間で送受信される。
データ記録担体へのデータアクセス中は、カード挿入口１２が第２の回動レバー３３の曲折端縁３３Ａにより閉鎖された状態になっているため、カード８０が不用意に排出されてしまうことがなく、カード８０のデータ記録担体内のデータ破損を回避することができる。カード保持機構１００の外表面には、データアクセス中であることを表示する表示部(図示せず)を配設してもよい。
【００２６】
図４に示すように、本実施形態においては、挿入したカード８０の挿入方向におけるカード長さＬ１よりも、カード挿入口１２を閉塞している曲折端縁３３Ａと当接片３１Ａとの最短離間距離Ｌ２の方が長くなるように設定されている。これによりカード挿入口１２を曲折端縁３３Ａにより閉塞した際に、第１ばね４１の付勢力によって当接片３１Ａと曲折端縁３３Ａとの間でカード８０に面内圧縮力が作用することがないので、カード８０本体またはカード８０に内蔵されたデータ記録担体の破損を回避することができる。このような構成を採用することで、使用するカード８０を薄型化することができ、カード保持機構１００およびこれを具備するカードデータ読取装置の薄型化にも貢献することができる。
【００２７】
カード挿入口１２が第２の回動レバー３３の曲折端部３３Ａにより閉塞され、かつ、ストッパ片５６により第１の回動レバー３１および第２の回動レバー３３のカード排出方向への回動が規制された後、データリーダおよびデータライタによりカード８０のデータ記憶担体へのデータアクセスがなされる。
通信手段にて接続された遊技機ホストコンピュータ等の外部接続機からの排出コマンドを受信した場合や、ユーザにより図示しないカード排出ボタンが押下された場合等には、制御部にカード排出要求信号が送信される。制御部がカード排出要求信号を受信すると、制御部は電磁ソレノイド５０への電力供給をオンにして、再びプランジャ用ばね５４の付勢力に抗してプランジャ５２を縮小させて、ストッパ片５６を図５中の矢印ｃ方向にスライドさせて突出部３３Ｃの下端部から退避させる。これにより、ストッパ片５６による第１の回動レバー３１および第２の回動レバー３３のカード８０排出側への回動の規制が解除されることになる。
万が一、データリーダまたはデータライタがカード８０のデータ記録担体とデータアクセス中にカード排出要求信号が制御部に送信されたとしても、制御部は、データリーダまたはデータライタによるカード８０のデータ記録担体とのデータアクセスが終了するまでは電磁ソレノイド５０への電力供給は行わないのはもちろんである。
【００２８】
第１の回動レバー３１の供回り用係合片３１Ｄが第２の回動レバー３３の供回り用係合溝３３Ｆの一方の端縁に当接しているので、ストッパ片５６による回動規制が解除されると、第１ばね４１による付勢力により回動する第１の回動レバー３１が第２の回動レバー３３と共に、カード８０の排出方向（図５内の矢印Ｃ方向）に回動（供回り）する。すなわち、カード挿入口１２からカード保持機構１００の外部（図５中矢印ｂ方向）へカード８０が排出される。
ここで、第２のセンサ６４が曲折端縁３３Ａの位置がカード挿入口１２を閉塞する位置から退避したことを検出し、制御部が第２のセンサ６４からの検出信号を受信すると、引き続き制御部は、電磁ソレノイド５０への電力供給をオフにする処理を実行する。
【００２９】
このように、カード保持機構１００内からカード８０を排出する際においても、電磁ソレノイド５０には極めて短時間においてのみ電力が供給されるだけであるため、プランジャ５２はプランジャ用ばね５４の付勢力により再び伸長することになる。これにより、図６に示すように、ストッパ片５６が突出部３３Ｃのストッパ係合部３３Ｄに係合した状態になり、第１の回動レバー３１と第２の回動レバー３３の回動動作を再び分離させた状態に（カード保持機構１００を初期状態にリセット）することができる。
【００３０】
本実施形態におけるカード保持機構１００は、収納部へのカード８０の挿入時における第２の回動レバー３３の回動時期を第１の回動レバー３１の回動時期に遅らせて単独で回動させている点が特徴的な動作である。これにより、カード８０を収納部に挿入する際においては、カード挿入口１２の閉塞部である曲折端縁３３Ａがカード８０の挿入動作の妨げになることがない点で好都合である。このように、ストッパ片５６の駆動手段である電磁ソレノイド５０への電力供給は、動作必要時にストッパ片５６を駆動させる際における一瞬のみであるため、従来技術に比較して大幅に電力消費量を削減することができる。
【００３１】
以上に、実施形態に基づいて本願発明について詳細に説明してきたが、本願発明は以上の実施形態で説明した実施形態に限定されるものではないのはもちろんである。
以上の実施形態においては、第２ばね４３の付勢力により第２の回動レバー３３をカード挿入口１２を閉塞させる位置に回動させる際において、第２の回動レバー３３の過回動を防止するための閉塞位置用ストッパ１８と、これに当接する当接部３３Ｅが形成された実施形態について説明しているが、第２ばね４３の付勢力の調整をすることにより、第２の回動レバー３３の過回動を回避することができれば、閉塞位置用ストッパ１８と当接部３３Ｅの配設を省略することもできる。
【００３２】
また、本実施形態では、カード保持機構１００の収納部に挿入したカード８０の取り出し方法は、ユーザによりカード排出要求信号を発生させた後に、制御部がソレノイド５０の駆動動作を制御することにより行う形態について説明しているが、この形態に限定されるものではない。
他の形態としては、カード８０が収納部に挿入されている状態において、継続利用されているカード８０のデータ記憶担体からデータリーダが読み取ったデータの値が予め設定された値と等しくなった際に、制御部にソレノイド５０の駆動動作を制御させるように制御プログラムを構築した形態を採用してもよい。この設定値は、カード保持機構１００と一体（または別体でもよい）に配設された入力部を用いてユーザが設定することもできる。
【００３３】
また、本実施形態においては、使用可能なカード８０が挿入された場合について説明しているが、場合によっては使用不可能なカード８０がカード保持機構１００に挿入されることも考えられる。このような場合を想定して、カード挿入口１２からカード８０が挿入される際にカード８０のデータ記録担体のデータを読み取り可能な位置にデータリーダを配設し、利用不可能なカード８０をカード保持機構１００内にとどめないようにする構成を採用してもよい。
【００３４】
具体的には、カード保持機構１００にカード８０を挿入する際に、データリーダにより読み取られたカード８０の情報を制御部に送信し、制御部に送信されたデータが予め設定されている有効なデータでなかった場合（サービス利用可能回数が０回である場合や、カードの有効期限が超過している場合、不正記録されたデータであった場合等のいわゆるエラー情報であった場合）は、第１のセンサ６２からの検出信号を受信した場合であっても、制御部は、電磁ソレノイド５０への電力供給をオフにしたままの処理を実行させればよい。これにより、第２の回動レバー３３はカード挿入口１２を閉塞する位置に移動しないため、ユーザがカード８０をカード挿入口１２から挿入する力を取り除くと、第１の回動レバー３１に作用している付勢力によりカード８０がカード保持機構１００の外部に排出されることになる。
このような処理方法を行う制御部を採用すれば、不正カード８０の利用を防止することができる点で好都合である。
【００３５】
また、カード挿入口１２またはカード挿入路の中途位置にカード８０が挿入されたことを検出し、制御部に検出信号を送信するカード挿入検出部を第１センサ６２として配設してもよい。このようなカード挿入検出部としては、カード８０が挿入された際の動作により信号のオンオフ動作を切り替え可能にする機械的な構成が好適である。具体的には、カード挿入口１２またはカード挿入経路にオンオフスイッチの一部を付勢部材により付勢させた状態で突出させておき、オンオフスイッチがオンになったときに電気信号を制御部の送信可能に設定しておけばよい。カード挿入口１２からカード８０が挿入されると、カード８０の外周縁がカード挿入口１２またはカード挿入経路から突出している部分に接触しながらカード保持機構１００内にさらに押し込まれることで、オンオフスイッチをオンにし、制御部に電気信号を供給することができる。
【００３６】
また、本実施形態においては、制御部が電磁ソレノイド５０への電力供給をオンにした後、電磁ソレノイド５０への電力供給をオフにする切り換え処理を、第２のセンサ６４からの検出信号に基づいて行っているが、この形態に限定されるものではない。制御部が電磁ソレノイド５０への電力供給をオンにする処理は、上記実施形態と同様に行ったのち、所定時間が経過した後に電磁ソレノイド５０への電力供給をオフにする処理を制御部が実行するようにしてもよい。この所定時間は、ユーザが外部入力手段を用いて自由に設定することができるようになっているとなお好都合である。
【００３７】
また、本実施形態においては、電磁ソレノイド５０のプランジャ５２を付勢するための弾性部材としてプランジャ用ばね５４を配設した形態について説明しているが、この形態に限定されるものではない。プランジャ用ばね５４以外における他の弾性部材の具体例としては、例えば、圧縮コイルばね、引張りコイルばね、皿ばね、トーションばね、Ｕ字ばね等を使用することももちろん可能である。
また、第１の付勢部材および第２の付勢部材として、本実施形態ではばねを用いているが、ゴム紐等を第１の付勢部材および第２の付勢部材として採用することもできる。
【００３８】
また詳細には説明しないが、以上に示した実施形態および上記変形例を適宜組み合わせてなる実施形態であっても、本願発明の技術的範囲内に属することはいうまでもない。
【産業上の利用可能性】
【００３９】
本願発明は、遊戯用データを記録したカードを用いた遊技機や、プリペイドカードを用いた遊技機および会計処理装置や、可搬型記憶媒体のデータ処理装置等に適用することができる。
【符号の説明】
【００４０】
１０  ベース部
１２  カード挿入口
１４  貫通孔
３１  第１の回動レバー
３１Ａ  当接片
３３  第２の回動レバー
３３Ａ  曲折端縁
３３Ｃ  突出部
３３Ｄ  ストッパ係合部
４１  第１ばね
４３  第２ばね
５０  電磁ソレノイド
５２  プランジャ
５４  プランジャ用ばね
５６  ストッパ片
６２  第１のセンサ
６４  第２のセンサ
８０  カード
１００  カード保持機構
ＡＸ  回動軸
【図１】
2011095924.tif 000003
【図２】
2011095924.tif 000004
【図３】
2011095924.tif 000005
【図４】
2011095924.tif 000006
【図５】
2011095924.tif 000007
【図６】
2011095924.tif 000008
【図７】
2011095924.tif 000009